(57)【要約】【課題】セキュリティビジネスに関する会員に対し、共用環境を使用することで安価な利用料でかつ短期間にビジネスができる場を提供する。【解決手段】コンピュータウィルス情報をマーケットプレースシステム運用装置に送信し、当該マーケットプレースシステム運用装置からコンピュータウィルス情報を受信する二以上のサービス利用者端末（１０，２０）と、サービス利用者端末から送信されてきたコンピュータウィルス情報をコンピュータウィルス情報記憶部に記憶するとともに、サービス利用者端末の要求に応じて、コンピュータウィルス情報をサービス利用者端末に送信するマーケットプレースシステム運用装置４０と、サービス利用者端末およびマーケットプレースシステム運用装置を接続するネットワーク５０と、を有するセキュリティビジネスにおけるマーケットプレース型ビジネス提供システム。【選択図】      図１
2004287867.tif 000002
【特許請求の範囲】
【請求項１】
新種のコンピュータウィルスの発生を想定して、事前にコンピュータウィルスのパターン研究、ワクチンソフトの開発、セキュリティ診断ツールの開発を支援するセキュリティビジネスにおけるマーケットプレース型ビジネス提供システムであって、
コンピュータウィルス情報をマーケットプレースシステム運用装置に送信し、当該マーケットプレースシステム運用装置から前記コンピュータウィルス情報を受信する二以上のサービス利用者端末と、
前記サービス利用者端末から送信されてきた前記コンピュータウィルス情報をコンピュータウィルス情報記憶部に記憶するとともに、前記サービス利用者端末の要求に応じて、前記コンピュータウィルス情報を前記サービス利用者端末に送信する前記マーケットプレースシステム運用装置と、
前記サービス利用者端末および前記マーケットプレースシステム運用装置を接続するネットワークと、を有する
ことを特徴とするセキュリティビジネスにおけるマーケットプレース型ビジネス提供システム。
【請求項２】
前記コンピュータウィルス情報が、少なくともコンピュータウィルスまたはコンピュータウィルスのパターン情報であり、それぞれ登録番号、販売者の会員ＩＤ、概要、詳細情報、販売希望価格を有する
ことを特徴とする請求項１記載のセキュリティビジネスにおけるマーケットプレース型ビジネス提供システム。
【請求項３】
前記サービス利用者端末として、サービスの利用申込者が使用する申込端末が含まれるとともに、
前記マーケットプレースシステム運用装置が、前記申込端末から送信されてきた申込情報を申込者ごとに記憶する申込情報記憶部を備える
ことを特徴とする請求項１または２記載のセキュリティビジネスにおけるマーケットプレース型ビジネス提供システム。
【請求項４】
前記マーケットプレースシステム運用装置が、通信回線を介してサービス提供者端末と接続し、
前記サービス提供者端末が、申込者ごとに保証金が入金済みであることを示す保証金入金済み情報を前記マーケットプレースシステム運用装置に送信し、
前記マーケットプレースシステム運用装置が、前記保証金入金済み情報を、前記申込情報記憶部における前記各申込者の申込情報に付加して記憶する
ことを特徴とする請求項３記載のセキュリティビジネスにおけるマーケットプレース型ビジネス提供システム。
【請求項５】
前記マーケットプレースシステム運用装置が、会員情報を記憶する会員情報記憶部を備え、
前記サービス提供者端末が、前記マーケットプレースシステム運用装置から前記保証金入金済み情報を備えた申込情報のリストを受信し、このリストから選択された登録対象の申込情報ごとに入力された会員ＩＤを、前記マーケットプレースシステム運用装置に送信し、
前記マーケットプレースシステム運用装置が、前記申込情報ごとに、前記会員ＩＤおよび所定の保証金残高を有する前記会員情報を、前記会員情報記憶部に記憶する
ことを特徴とする請求項３または４記載のセキュリティビジネスにおけるマーケットプレース型ビジネス提供システム。
【請求項６】
前記マーケットプレースシステム運用装置が、前記会員情報記憶部から、受付通知を行ったことを示す情報が登録されていない会員情報を抽出して、この会員情報にもとづき受付通知対象者リストを生成して前記サービス利用者端末に送信し、かつ、前記サービス利用者端末から受信した選択入力情報にもとづいて、選択された会員情報に対応する申込端末に受付完了通知を送信するとともに、前記会員情報記憶部における当該会員情報に受付通知を行ったことを示す情報を記憶し、
前記サービス提供者端末が、前記マーケットプレースシステム運用装置から受信した前記受付通知対象者リストに対する前記選択入力情報を前記マーケットプレースシステム運用装置に送信する
ことを特徴とする請求項５記載のセキュリティビジネスにおけるマーケットプレース型ビジネス提供システム。
【請求項７】
前記サービス利用者端末として、前記会員情報記憶部に登録された会員であって、前記コンピュータウィルス情報の販売者である会員により使用される会員端末が含まれ、
前記会員端末が、前記マーケットプレースシステム運用装置から、前記コンピュータウィルス情報の登録番号および前記会員ＩＤにもとづいて、自分が販売する前記コンピュータウィルス情報を受信するとともに、当該コンピュータウィルス情報の販売先の販売先会員ＩＤを入力して前記マーケットプレースシステム運用装置に送信し、
前記マーケットプレースシステム運用装置が、前記登録番号にもとづいて、対応する前記コンピュータウィルス情報に、前記販売先会員ＩＤを付加して前記コンピュータウィルス情報記憶部に記憶する
ことを特徴とする請求項１〜６のいずれかに記載のセキュリティビジネスにおけるマーケットプレース型ビジネス提供システム。
【請求項８】
前記コンピュータウィルス情報の販売者または購入者である会員により使用される前記会員端末が、検索キーをマーケットプレースシステム運用装置に送信し、
前記マーケットプレースシステム運用装置が、前記会員端末から送信されてきた会員ＩＤおよびパスワードにもとづく認証後、前記検索キーにもとづき前記コンピュータウィルス情報記憶部から対象データを抽出して前記会員端末に送信する
ことを特徴とする請求項７記載のセキュリティビジネスにおけるマーケットプレース型ビジネス提供システム。
【請求項９】
前記会員端末が、取引一覧表示要求をマーケットプレースシステム運用装置に送信し、
前記マーケットプレースシステム運用装置が、前記会員端末から送信されてきた会員ＩＤおよびパスワードにもとづく認証後、前記取引一覧表示要求にもとづいて、前記コンピュータウィルス情報記憶部から少なくとも登録番号、販売者の会員ＩＤ、概要、販売希望価格を抽出し、取引一覧として前記会員端末に送信する
ことを特徴とする請求項７または８記載のセキュリティビジネスにおけるマーケットプレース型ビジネス提供システム。
【請求項１０】
前記会員端末が、詳細参照要求および詳細参照したいコンピュータウィルス情報の登録番号をマーケットプレースシステム運用装置に送信し、
前記マーケットプレースシステム運用装置が、前記会員端末から送信されてきた会員ＩＤおよびパスワードにもとづく認証後、前記詳細参照要求および前記登録番号にもとづいて、前記コンピュータウィルス情報記憶部から対応するコンピュータウィルスの詳細情報を抽出し、詳細参照として前記会員端末に送信する
ことを特徴とする請求項７〜９のいずれかに記載のセキュリティビジネスにおけるマーケットプレース型ビジネス提供システム。
【請求項１１】
前記会員端末が、前記コンピュータウィルス情報の購入者である会員により使用されるものであり、
当該会員端末が、購入を希望するコンピュータウィルス情報の登録番号を前記マーケットプレースシステム運用装置に送信するとともに、前記マーケットプレースシステム運用装置から前記登録番号に対応するコンピュータウィルス情報を受信し、購入希望会員の会員ＩＤおよび購入希望価格を入力して前記マーケットプレースシステム運用装置に送信し、
前記マーケットプレースシステム運用装置が、送信されてきた前記登録番号にもとづき前記コンピュータウィルス情報記憶部から対応するコンピュータウィルス情報を抽出して前記会員端末に送信するとともに、前記会員端末から送信されてきた前記購入希望会員の会員ＩＤおよび前記購入希望価格を前記コンピュータウィルス情報に付加して前記コンピュータウィルス情報記憶部に記憶する
ことを特徴とする請求項７〜１０のいずれかに記載のセキュリティビジネスにおけるマーケットプレース型ビジネス提供システム。
【請求項１２】
前記マーケットプレースシステム運用装置が、売買履歴を記憶する売買履歴情報記憶部を備え、
前記マーケットプレースシステム運用装置が、前記販売先会員ＩＤを前記コンピュータウィルス情報記憶部に記憶する際に、少なくとも販売先登録日、販売した会員の会員ＩＤ、購入した会員の会員ＩＤ、売買価格を売買履歴情報記憶部に記憶し、売買が行われたコンピュータウィルス情報を、このコンピュータウィルス情報の登録番号にもとづき前記コンピュータウィルス情報記憶部から削除することを特徴とする請求項７〜１１のいずれかに記載のセキュリティビジネスにおけるマーケットプレース型ビジネス提供システム。
【請求項１３】
前記サービス提供者端末が、売買履歴情報を参照したい会員ＩＤ又はすべての会員ＩＤを参照したいことを示す情報を前記マーケットプレースシステム運用装置に送信し、
前記マーケットプレースシステム運用装置が、送信されてきた前記会員ＩＤにもとづいて、前記売買履歴情報記憶部から対応する売買履歴情報を抽出し、または、前記すべての会員ＩＤを参照したいことを示す情報にもとづいて、前記売買履歴情報記憶部からすべての会員ＩＤの売買履歴情報を抽出し、抽出した売買履歴情報を前記サービス提供者端末に送信する
ことを特徴とする請求項１２記載のセキュリティビジネスにおけるマーケットプレース型ビジネス提供システム。
【請求項１４】
前記マーケットプレースシステム運用装置が、前記売買履歴情報記憶部に売買履歴情報を登録すると、当該売買履歴情報における販売した会員および購入した会員の会員ＩＤにもとづいて、前記会員情報記憶部における前記販売した会員の保証金残高に前記売買価格を加え、仲介手数料を引いて記憶し、前記会員情報記憶部における前記購入した会員の保証金残高から前記売買価格を引き、仲介手数料を引いて記憶する
ことを特徴とする請求項１２または１３記載のセキュリティビジネスにおけるマーケットプレース型ビジネス提供システム。
【請求項１５】
前記マーケットプレースシステム運用装置が、売買明細通知を生成し、前記販売した会員および前記購入した会員の電子メールアドレス宛に、当該売買明細通知を送信する
ことを特徴とする請求項１４記載のセキュリティビジネスにおけるマーケットプレース型ビジネス提供システム。
【請求項１６】
前記マーケットプレースシステム運用装置が、前記会員情報記憶部における購入した会員の保証金残高が、所定の金額を下回った場合、その差額を請求する請求書を発行する
ことを特徴とする請求項１４または１５記載のセキュリティビジネスにおけるマーケットプレース型ビジネス提供システム。
【請求項１７】
前記会員端末が、前記登録番号と、前記コンピュータウィルス情報の修正情報または削除することを示す情報を前記マーケットプレースシステム運用装置に送信し、
前記マーケットプレースシステム運用装置が、前記会員端末から送信されてきた会員ＩＤおよびパスワードにもとづく認証後、前記登録番号にもとづいて、前記コンピュータウィルス情報記憶部に対して、対応するコンピュータウィルス情報に前記修正情報を更新し、または対応するコンピュータウィルス情報の削除を行う
ことを特徴とする請求項７〜１６のいずれかに記載のセキュリティビジネスにおけるマーケットプレース型ビジネス提供システム。
【請求項１８】
通信回線を介して、販売者が使用する販売者会員端末と、購入者が使用する購入者会員端末と、サービス提供者が使用するサービス提供者端末に接続され、新種のコンピュータウィルスの発生を想定して、事前にコンピュータウィルスのパターン研究、ワクチンソフトの開発、セキュリティ診断ツールの開発を支援するセキュリティビジネスにおけるマーケットプレース型ビジネス提供装置であって、
登録番号、販売者の会員ＩＤ、概要、詳細情報、販売希望価格を有するコンピュータウィルス情報を記憶するコンピュータウィルス情報記憶部と、
会員情報を記憶する会員情報記憶部と、を備え、
前記販売者会員端末から送信されてきた前記コンピュータウィルス情報を前記コンピュータウィルス情報記憶部に登録するとともに、前記購入者会員端末から送信されてきたコンピュータウィルス情報の購入希望者の会員ＩＤと購入希望価格を、当該コンピュータウィルス情報の登録番号にもとづき前記コンピュータウィルス情報記憶部に登録し、前記販売者会員端末から送信されてきたコンピュータウィルス情報の販売先の販売先会員ＩＤにもとづいて、前記会員情報記憶部の対応する購入者の会員情報における保証金残高から、売買価格および仲介手数料を引き、かつ、当該コンピュータウィルス情報の販売者の会員ＩＤにもとづいて、前記会員情報記憶部の対応する販売者の会員情報における保証金残高に、売買価格を加えて仲介手数料を引く
ことを特徴とするセキュリティビジネスにおけるマーケットプレース型ビジネス提供装置。
【請求項１９】
新種のコンピュータウィルスの発生を想定して、事前にコンピュータウィルスのパターン研究、ワクチンソフトの開発、セキュリティ診断ツールの開発を支援するセキュリティビジネスにおけるマーケットプレース型ビジネス提供方法であって、
販売者会員端末が、登録番号、販売者の会員ＩＤ、概要、詳細情報、販売希望価格を有するコンピュータウィルス情報をマーケットプレースシステム運用装置に送信し、
前記マーケットプレースシステム運用装置が、前記コンピュータウィルス情報をコンピュータウィルス情報記憶部に記憶し、
購入者会員端末が、前記マーケットプレースシステム運用装置から前記コンピュータウィルス情報を受信するとともに、前記コンピュータウィルス情報の購入希望者の会員ＩＤと購入希望価格を前記マーケットプレースシステム運用装置に送信し、
前記マーケットプレースシステム運用装置が、当該コンピュータウィルス情報の登録番号にもとづき前記コンピュータウィルス情報記憶部に前記購入希望者の会員ＩＤと前記購入希望価格を登録し、
前記販売者会員端末が、コンピュータウィルス情報の販売先の販売先会員ＩＤを前記マーケットプレースシステム運用装置に送信し、
前記マーケットプレースシステム運用装置が、送信されてきた販売先会員ＩＤにもとづいて、対応する購入者の会員情報における保証金残高から、売買価格および仲介手数料を引き、かつ、当該コンピュータウィルス情報の販売者の会員ＩＤにもとづいて、対応する販売者の会員情報における保証金残高に、売買価格を加えて仲介手数料を引く
ことを特徴とするセキュリティビジネスにおけるマーケットプレース型ビジネス提供方法。
【請求項２０】
新種のコンピュータウィルスの発生を想定して、事前にコンピュータウィルスのパターン研究、ワクチンソフトの開発、セキュリティ診断ツールの開発を支援するセキュリティビジネスにおけるマーケットプレース型ビジネス提供プログラムであって、
マーケットプレースシステム運用装置に、
販売者会員端末から送信されてきた登録番号、販売者の会員ＩＤ、概要、詳細情報、販売希望価格を有するコンピュータウィルス情報を、コンピュータウィルス情報記憶部に記憶させ、
購入者会員端末から送信されてきたコンピュータウィルス情報の購入希望者の会員ＩＤと購入希望価格を、当該コンピュータウィルス情報の登録番号にもとづき前記コンピュータウィルス情報記憶部に記憶させ、
前記販売者会員端末から送信されてきたコンピュータウィルス情報の販売先の販売先会員ＩＤにもとづいて、対応する購入者の会員情報における保証金残高から、売買価格および仲介手数料を引かせ、かつ、当該コンピュータウィルス情報の販売者の会員ＩＤにもとづいて、前記会員情報記憶部の対応する販売者の会員情報における保証金残高に、売買価格を加えさせて仲介手数料を引かせる
ことを実行させるためのセキュリティビジネスにおけるマーケットプレース型ビジネス提供プログラム。
【発明の詳細な説明】
【０００１】
【発明の属する技術分野】
本発明は、セキュリティビジネスに関する会員に対し、新種のコンピュータウィルスの発生を想定して、事前にコンピュータウィルスのパターン研究、ワクチンソフトの開発、セキュリティ診断ツールの開発を支援するセキュリティビジネスにおけるマーケットプレース型ビジネス提供システム、方法、装置及びプログラムに関する。
【０００２】
【従来の技術】
近年、情報処理技術が急速に発達する一方で、システムの正常動作を妨害するする目的で作成されたコンピュータウィルスによる被害が社会的な問題となっている。
このようなコンピュータウィルスに対し、従来からこれを排除するための研究やツールの開発が行われているが、これらは個別の企業に閉じた形態で行われており、コンピュータウィルスに対する一連の対策をスピーディかつ容易に行える仕組みは存在しなかった。
なお、企業間の取引を実現するものとして、入札システム（例えば、特許文献１参照。）などが提案されているが、コンピュータウィルスに対する一連の対策をスピーディかつ容易に行える仕組みを提供するものではない。
【０００３】
【特許文献１】
特開２００２−１３３１８３号公報
【０００４】
【発明が解決しようとする課題】
このため、従来のコンピュータウィルス対策においては、資金力あるいは販売力の劣る企業や個人が、積極的にセキュリティビジネスを展開するのが容易ではないという問題があった。
また、従来のコンピュータウィルス対策を行う企業は、新種のコンピュータウィルスの発生を想定して、事前にコンピュータウィルスのパターン研究、ワクチンソフトの開発等を行うために、非常に高度な知識を有する技術者を数多く抱えなければならいという問題があった。
【０００５】
本発明は、上記の事情にかんがみなされたものであり、セキュリティビジネスに関する会員に対し、共用環境を使用することで安価な利用料でかつ短期間にビジネスができる場を提供するセキュリティビジネスにおけるマーケットプレース型ビジネス提供システム、方法、装置及びプログラムの提供を目的とする。
【０００６】
【課題を解決するための手段】
上記目的を達成するため、本発明の請求項１記載のセキュリティビジネスにおけるマーケットプレース型ビジネス提供システムは、新種のコンピュータウィルスの発生を想定して、事前にコンピュータウィルスのパターン研究、ワクチンソフトの開発、セキュリティ診断ツールの開発を支援するセキュリティビジネスにおけるマーケットプレース型ビジネス提供システムであって、コンピュータウィルス情報をマーケットプレースシステム運用装置に送信し、当該マーケットプレースシステム運用装置からコンピュータウィルス情報を受信する二以上のサービス利用者端末と、サービス利用者端末から送信されてきたコンピュータウィルス情報をコンピュータウィルス情報記憶部に記憶するとともに、サービス利用者端末の要求に応じて、コンピュータウィルス情報をサービス利用者端末に送信するマーケットプレースシステム運用装置と、サービス利用者端末およびマーケットプレースシステム運用装置を接続するネットワークと、を有する構成としてある。
【０００７】
セキュリティビジネスにおけるマーケットプレース型ビジネス提供システムをこのような構成にすれば、セキュリティビジネスに関係する会員（企業または個人）に対し、コンピュータウィルスに関する情報を登録して、売買を可能とする共用環境（会員制サービス）を提供することができる。
このため、セキュリティビジネスに関係する会員は、安価な利用料でかつ短期間にビジネスが実現できるとともに、新種のコンピュータウィルスの発生を想定した事前のコンピュータウィルスのパターン研究、ワクチンソフトの開発、およびセキュリティ診断ツールの開発等、一連の対策をスピーディにかつ容易に実現することが可能となる。
【０００８】
また、この会員制サービスによれば、技術力はあるが、知名度、販売力等のない会員が商品の販売先を容易に見つけることのできる環境を提供することができる。さらに、この会員制サービスによれば、これまでビジネスとして手がけづらかったコンピュータウィルスの開発というものをビジネスとして遂行できる場を会員に対して提供することができる。
加えて、この会員制サービスを実現するセキュリティビジネスにおけるマーケットプレース型ビジネス提供システムは、クライアントの機器（サービス利用者端末，後述のサービス提供者端末）にはインターネットブラウザと電子メールソフトのみあれば、その他の特別なソフトウェアをインストールすることなしに利用できる。
【０００９】
本発明の請求項２記載のセキュリティビジネスにおけるマーケットプレース型ビジネス提供システムは、コンピュータウィルス情報が、少なくともコンピュータウィルスまたはコンピュータウィルスのパターン情報であり、それぞれ登録番号、販売者の会員ＩＤ、概要、詳細情報、販売希望価格を有する構成としてある。
【００１０】
セキュリティビジネスにおけるマーケットプレース型ビジネス提供システムをこのような構成にすれば、コンピュータウィルスやそのコンピュータウィルスのパターン情報の売買を、容易に行うことの可能な環境を実現することが可能となる。
このため、従来は、ビジネスとして手がけづらかったコンピュータウィルスの開発を、ビジネスとして遂行できる場を会員に対して提供することが可能となる。
【００１１】
本発明の請求項３記載のセキュリティビジネスにおけるマーケットプレース型ビジネス提供システムは、サービス利用者端末として、サービスの利用申込者が使用する申込端末が含まれるとともに、マーケットプレースシステム運用装置が、申込端末から送信されてきた申込情報を申込者ごとに記憶する申込情報記憶部を備える構成としてある。
【００１２】
セキュリティビジネスにおけるマーケットプレース型ビジネス提供システムをこのような構成にすれば、このシステムにより提供される会員制サービスの申込者についての申込情報をマーケットプレースシステム運用装置における独立したテーブルなどに登録することができる。
このため、申込者と会員を明確に区別して、申込者が会員に移行するまでの種々の手続きを適切に実行することができるとともに、会員情報として不要な情報をマーケットプレースシステム運用装置に保有させる必要がなくなる。
【００１３】
本発明の請求項４記載のセキュリティビジネスにおけるマーケットプレース型ビジネス提供システムは、マーケットプレースシステム運用装置が、通信回線を介してサービス提供者端末と接続し、サービス提供者端末が、申込者ごとに保証金が入金済みであることを示す保証金入金済み情報をマーケットプレースシステム運用装置に送信し、マーケットプレースシステム運用装置が、保証金入金済み情報を、申込情報記憶部における各申込者の申込情報に付加して記憶する構成としてある。
【００１４】
セキュリティビジネスにおけるマーケットプレース型ビジネス提供システムをこのような構成にすれば、会員性サービスを提供する企業（以下、サービス提供者と称する場合がある。）が、申込者からの保証金が入金されていることを確認後、これを示す保証金入金済み情報をサービス提供者端末からマーケットプレースシステム運用装置における申込情報記憶部に登録することができる。
このため、申込情報記憶部を参照することによって、容易に保証金の入金が済んでいる申込者を把握することが可能となる。
【００１５】
本発明の請求項５記載のセキュリティビジネスにおけるマーケットプレース型ビジネス提供システムは、マーケットプレースシステム運用装置が、会員情報を記憶する会員情報記憶部を備え、サービス提供者端末が、マーケットプレースシステム運用装置から保証金入金済み情報を備えた申込情報のリストを受信し、このリストから選択された登録対象の申込情報ごとに入力された会員ＩＤを、マーケットプレースシステム運用装置に送信し、マーケットプレースシステム運用装置が、申込情報ごとに、会員ＩＤおよび所定の保証金残高を有する会員情報を、会員情報記憶部に記憶する構成としてある。
【００１６】
セキュリティビジネスにおけるマーケットプレース型ビジネス提供システムをこのような構成にすれば、サービス提供者は、保証金の入金を済ませた申込者についての情報をサービス提供者端末にマーケットプレースシステム運用装置から受信して表示させ、それぞれの申込者に会員ＩＤを付与して、マーケットプレースシステム運用装置における会員情報記憶部に登録することが可能となる。
また、このような会員の新規登録にあたり、申込者により入金された所定金額の保証金を会員情報記憶部に登録することにより、コンピュータウィルス情報の売買の精算を、この保証金を用いて行うことが可能となる。
【００１７】
本発明の請求項６記載のセキュリティビジネスにおけるマーケットプレース型ビジネス提供システムは、マーケットプレースシステム運用装置が、会員情報記憶部から、受付通知を行ったことを示す情報が登録されていない会員情報を抽出して、この会員情報にもとづき受付通知対象者リストを生成してサービス利用者端末に送信し、かつ、サービス利用者端末から受信した選択入力情報にもとづいて、選択された会員情報に対応する申込端末に受付完了通知を送信するとともに、会員情報記憶部における当該会員情報に受付通知を行ったことを示す情報を記憶し、サービス提供者端末が、マーケットプレースシステム運用装置から受信した受付通知対象者リストに対する選択入力情報をマーケットプレースシステム運用装置に送信する構成としてある。
【００１８】
セキュリティビジネスにおけるマーケットプレース型ビジネス提供システムをこのような構成にすれば、会員登録が完了した申込者の申込端末に対して、これを示す受付完了通知を自動的に送信することができる。
このため、サービス提供者は、容易に申込者に対して会員登録を完了したことを連絡することができるとともに、申込者は、自分が会員になったことを把握することが可能となる。
【００１９】
本発明の請求項７記載のセキュリティビジネスにおけるマーケットプレース型ビジネス提供システムは、サービス利用者端末として、会員情報記憶部に登録された会員であって、コンピュータウィルス情報の販売者である会員により使用される会員端末が含まれ、会員端末が、マーケットプレースシステム運用装置から、コンピュータウィルス情報の登録番号および会員ＩＤにもとづいて、自分が販売するコンピュータウィルス情報を受信するとともに、当該コンピュータウィルス情報の販売先の販売先会員ＩＤを入力してマーケットプレースシステム運用装置に送信し、マーケットプレースシステム運用装置が、登録番号にもとづいて、対応するコンピュータウィルス情報に、販売先会員ＩＤを付加してコンピュータウィルス情報記憶部に記憶する構成としてある。
【００２０】
セキュリティビジネスにおけるマーケットプレース型ビジネス提供システムをこのような構成にすれば、販売者である会員は、販売先を決定すると、その販売者の会員の会員ＩＤをマーケットプレースシステム運用装置のコンピュータウィルス情報記憶部における自己が登録したコンピュータウィルス情報に付加して記憶することができる。
これによって、販売者は、コンピュータウィルス情報の販売先を確定することが可能となる。
【００２１】
本発明の請求項８記載のセキュリティビジネスにおけるマーケットプレース型ビジネス提供システムは、コンピュータウィルス情報の販売者または購入者である会員により使用される会員端末が、検索キーをマーケットプレースシステム運用装置に送信し、マーケットプレースシステム運用装置が、会員端末から送信されてきた会員ＩＤおよびパスワードにもとづく認証後、検索キーにもとづきコンピュータウィルス情報記憶部から対象データを抽出して会員端末に送信する構成としてある。
【００２２】
セキュリティビジネスにおけるマーケットプレース型ビジネス提供システムをこのような構成にすれば、本会員制サービスの会員は、自己が入力した検索キーにもとづいて、コンピュータウィルス情報を抽出して参照することができ、その購入の検討などに利用することが可能となる。
【００２３】
本発明の請求項９記載のセキュリティビジネスにおけるマーケットプレース型ビジネス提供システムは、会員端末が、取引一覧表示要求をマーケットプレースシステム運用装置に送信し、マーケットプレースシステム運用装置が、会員端末から送信されてきた会員ＩＤおよびパスワードにもとづく認証後、取引一覧表示要求にもとづいて、コンピュータウィルス情報記憶部から少なくとも登録番号、販売者の会員ＩＤ、概要、販売希望価格を抽出し、取引一覧として会員端末に送信する構成としてある。
【００２４】
セキュリティビジネスにおけるマーケットプレース型ビジネス提供システムをこのような構成にすれば、会員は、マーケットプレースシステム運用装置に登録されているすべてのコンピュータウィルス情報についての情報を一覧表により参照することができる。
このため、コンピュータウィルス情報を容易に比較することができ、購入者は購入の検討等に利用することができ、販売者は、販売希望価格を決定するための参考などとして利用することが可能となる。
【００２５】
本発明の請求項１０記載のセキュリティビジネスにおけるマーケットプレース型ビジネス提供システムは、会員端末が、詳細参照要求および詳細参照したいコンピュータウィルス情報の登録番号をマーケットプレースシステム運用装置に送信し、マーケットプレースシステム運用装置が、会員端末から送信されてきた会員ＩＤおよびパスワードにもとづく認証後、詳細参照要求および登録番号にもとづいて、コンピュータウィルス情報記憶部から対応するコンピュータウィルスの詳細情報を抽出し、詳細参照として会員端末に送信する構成としてある。
【００２６】
セキュリティビジネスにおけるマーケットプレース型ビジネス提供システムをこのような構成にすれば、会員は、コンピュータウィルス情報の詳細な情報について参照することができる。
このため、購入者は購入の検討をより適切に行うことができるとともに、販売者も新たなコンピュータウィルス情報の開発に利用することが可能となる。
【００２７】
本発明の請求項１１記載のセキュリティビジネスにおけるマーケットプレース型ビジネス提供システムは、会員端末が、コンピュータウィルス情報の購入者である会員により使用されるものであり、当該会員端末が、購入を希望するコンピュータウィルス情報の登録番号をマーケットプレースシステム運用装置に送信するとともに、マーケットプレースシステム運用装置から登録番号に対応するコンピュータウィルス情報を受信し、購入希望会員の会員ＩＤおよび購入希望価格を入力してマーケットプレースシステム運用装置に送信し、マーケットプレースシステム運用装置が、送信されてきた登録番号にもとづきコンピュータウィルス情報記憶部から対応するコンピュータウィルス情報を抽出して会員端末に送信するとともに、会員端末から送信されてきた購入希望会員の会員ＩＤおよび購入希望価格をコンピュータウィルス情報に付加してコンピュータウィルス情報記憶部に記憶する構成としてある。
【００２８】
セキュリティビジネスにおけるマーケットプレース型ビジネス提供システムをこのような構成にすれば、購入者は、購入を希望するコンピュータウィルス情報を決定すると、マーケットプレースシステム運用装置から当該コンピュータウィルス情報を受信し、自己の会員ＩＤおよび購入希望価格をマーケットプレースシステム運用装置に送信することによって、これをコンピュータウィルス情報に付加して記憶することができる。
これによって、販売者は、販売先の決定にあたり、自己のコンピュータウィルス情報をマーケットプレースシステム運用装置から受信して、登録されている各購買者の購入希望価格を比較することが可能となる。
【００２９】
本発明の請求項１２記載のセキュリティビジネスにおけるマーケットプレース型ビジネス提供システムは、マーケットプレースシステム運用装置が、売買履歴を記憶する売買履歴情報記憶部を備え、マーケットプレースシステム運用装置が、販売先会員ＩＤをコンピュータウィルス情報記憶部に記憶する際に、少なくとも販売先登録日、販売した会員の会員ＩＤ、購入した会員の会員ＩＤ、売買価格を売買履歴情報記憶部に記憶し、売買が行われたコンピュータウィルス情報を、このコンピュータウィルス情報の登録番号にもとづきコンピュータウィルス情報記憶部から削除する構成としてある。
【００３０】
セキュリティビジネスにおけるマーケットプレース型ビジネス提供システムをこのような構成にすれば、販売者によって、コンピュータウィルス情報の販売先が決定され、販売先会員ＩＤの登録が行われ、マーケットプレースシステム運用装置が自動的に売買履歴を売買履歴情報記憶部に登録することができる。また、同時にコンピュータウィルス情報記憶部から売買されたコンピュータウィルス情報を自動的に削除することができる。
このため、この売買履歴情報記憶部を参照することによって、コンピュータウィルス情報の売買履歴を容易に把握することができるとともに、売買が完了したコンピュータウィルス情報については、販売対象としないようにすることが可能となる。
【００３１】
本発明の請求項１３記載のセキュリティビジネスにおけるマーケットプレース型ビジネス提供システムは、サービス提供者端末が、売買履歴情報を参照したい会員ＩＤ又はすべての会員ＩＤを参照したいことを示す情報をマーケットプレースシステム運用装置に送信し、マーケットプレースシステム運用装置が、送信されてきた会員ＩＤにもとづいて、売買履歴情報記憶部から対応する売買履歴情報を抽出し、または、すべての会員ＩＤを参照したいことを示す情報にもとづいて、売買履歴情報記憶部からすべての会員ＩＤの売買履歴情報を抽出し、抽出した売買履歴情報をサービス提供者端末に送信する構成としてある。
【００３２】
セキュリティビジネスにおけるマーケットプレース型ビジネス提供システムをこのような構成にすれば、サービス提供者は、ある特定の会員またはすべての会員についての売買履歴を容易に参照することが可能となる。
すなわち、マーケットプレースシステム運用装置の売買履歴情報記憶部は、売買ごとに、販売者および購入者のＩＤを記憶するため、サービス提供者端末からの要求に応じて、任意の会員の売買履歴を抽出して出力することが可能となる。
【００３３】
本発明の請求項１４記載のセキュリティビジネスにおけるマーケットプレース型ビジネス提供システムは、マーケットプレースシステム運用装置が、売買履歴情報記憶部に売買履歴情報を登録すると、当該売買履歴情報における販売した会員および購入した会員の会員ＩＤにもとづいて、会員情報記憶部における販売した会員の保証金残高に売買価格を加え、仲介手数料を引いて記憶し、会員情報記憶部における購入した会員の保証金残高から売買価格を引き、仲介手数料を引いて記憶する構成としてある。
【００３４】
セキュリティビジネスにおけるマーケットプレース型ビジネス提供システムをこのような構成にすれば、マーケットプレースシステム運用装置は、売買履歴情報記憶部へのデータの登録を行うと同時に、会員情報記憶部に対して、保証金残高の精算を実行することができる。
すなわち、会員が売買を実施した場合、売買代金のやり取りは、それぞれ預けた保証金に対して本システムが自動的に精算を行うため、会員は請求、振込等の手続をその都度行う必要がない。
また、サービス提供者は、売買確定時にあらかじめ決められた料率の仲介手数料を会員の保証金からその都度徴収することができるため、個々の取引に対して会員に仲介手数料を請求する必要がない。
【００３５】
本発明の請求項１５記載のセキュリティビジネスにおけるマーケットプレース型ビジネス提供システムは、マーケットプレースシステム運用装置が、売買明細通知を生成し、販売した会員および購入した会員の電子メールアドレス宛に、当該売買明細通知を送信する構成としてある。
【００３６】
セキュリティビジネスにおけるマーケットプレース型ビジネス提供システムをこのような構成にすれば、マーケットプレースシステム運用装置は、売買を行った販売者および購入者が使用するそれぞれの会員端末に、その取引の明細を記載した売買明細通知を自動的に送信することができる。
このため、サービス提供者にとっては、売買が完了したことを販売者および購入者に連絡するための作業が不要であり、販売者および購入者も、売買に必要な処理が実行されたことを把握することが可能となる。
【００３７】
本発明の請求項１６記載のセキュリティビジネスにおけるマーケットプレース型ビジネス提供システムは、マーケットプレースシステム運用装置が、会員情報記憶部における購入した会員の保証金残高が、所定の金額を下回った場合、その差額を請求する請求書を発行する構成としてある。
【００３８】
セキュリティビジネスにおけるマーケットプレース型ビジネス提供システムをこのような構成にすれば、コンピュータウィルス情報の売買によって、会員情報記憶部に登録されている保証金残高が、所定の金額以下になった場合には、自動的に保証金を補充するための請求書を、その会員宛に発行することができる。
このため、本会員制サービスを利用する会員は、常に一定以上の保証金を入金済みであることが確保され、保証金が足りないために売買が完了しない状況の発生を防止することが可能となる。
なお、「請求書を発行する」とは、請求書の出力処理を実行することを意味している。
【００３９】
本発明の請求項１７記載のセキュリティビジネスにおけるマーケットプレース型ビジネス提供システムは、会員端末が、登録番号と、コンピュータウィルス情報の修正情報または削除することを示す情報をマーケットプレースシステム運用装置に送信し、マーケットプレースシステム運用装置が、会員端末から送信されてきた会員ＩＤおよびパスワードにもとづく認証後、登録番号にもとづいて、コンピュータウィルス情報記憶部に対して、対応するコンピュータウィルス情報に修正情報を更新し、または対応するコンピュータウィルス情報の削除を行う構成としてある。
【００４０】
セキュリティビジネスにおけるマーケットプレース型ビジネス提供システムをこのような構成にすれば、コンピュータウィルス情報の販売者および購入者は、マーケットプレースシステム運用装置のコンピュータウィルス情報記憶部における自己の登録情報を適宜修正／削除することができる。
例えば、コンピュータウィルス情報の販売者は、そのコンピュータウィルスの概要や詳細説明などを修正したり、あるいはそのコンピュータウィルス情報を削除することが可能となる。また、購入者は、一旦登録した購入希望価格を修正したり、登録を取り消したりすることが可能となる。
【００４１】
本発明の請求項１８記載のセキュリティビジネスにおけるマーケットプレース型ビジネス提供装置は、通信回線を介して、販売者が使用する販売者会員端末と、購入者が使用する購入者会員端末と、サービス提供者が使用するサービス提供者端末に接続され、新種のコンピュータウィルスの発生を想定して、事前にコンピュータウィルスのパターン研究、ワクチンソフトの開発、セキュリティ診断ツールの開発を支援するセキュリティビジネスにおけるマーケットプレース型ビジネス提供装置であって、登録番号、販売者の会員ＩＤ、概要、詳細情報、販売希望価格を有するコンピュータウィルス情報を記憶するコンピュータウィルス情報記憶部と、会員情報を記憶する会員情報記憶部と、を備え、販売者会員端末から送信されてきたコンピュータウィルス情報をコンピュータウィルス情報記憶部に登録するとともに、購入者会員端末から送信されてきたコンピュータウィルス情報の購入希望者の会員ＩＤと購入希望価格を、当該コンピュータウィルス情報の登録番号にもとづきコンピュータウィルス情報記憶部に登録し、販売者会員端末から送信されてきたコンピュータウィルス情報の販売先の販売先会員ＩＤにもとづいて、会員情報記憶部の対応する購入者の会員情報における保証金残高から、売買価格および仲介手数料を引き、かつ、当該コンピュータウィルス情報の販売者の会員ＩＤにもとづいて、会員情報記憶部の対応する販売者の会員情報における保証金残高に、売買価格を加えて仲介手数料を引く構成としてある。
【００４２】
セキュリティビジネスにおけるマーケットプレース型ビジネス提供装置をこのような構成にすれば、販売者の会員端末から送信されてきたコンピュータウィルス情報をコンピュータウィルス情報記憶部に記憶するとともに、このコンピュータウィルス情報に対する購入希望価格を、購入者の会員端末から受信して、このコンピュータウィルス情報に付加して記憶することができる。
そして、販売者の会員端末から販売先として決定された会員ＩＤが送信されてくると、マーケットプレースシステム運用装置は、自動的にその精算処理を実行することができる。
このため、技術力はあるが、知名度、販売力等のない会員に対し、商品の販売先を容易に見つけることのできる環境を提供することが可能となる。さらに、これまでビジネスとして手がけづらかったコンピュータウィルスの開発というものをビジネスとして遂行できる場を会員に対して提供することが可能となる。
【００４３】
本発明の請求項１９記載のセキュリティビジネスにおけるマーケットプレース型ビジネス提供方法は、新種のコンピュータウィルスの発生を想定して、事前にコンピュータウィルスのパターン研究、ワクチンソフトの開発、セキュリティ診断ツールの開発を支援するセキュリティビジネスにおけるマーケットプレース型ビジネス提供方法であって、販売者会員端末が、登録番号、販売者の会員ＩＤ、概要、詳細情報、販売希望価格を有するコンピュータウィルス情報をマーケットプレースシステム運用装置に送信し、マーケットプレースシステム運用装置が、コンピュータウィルス情報をコンピュータウィルス情報記憶部に記憶し、購入者会員端末が、マーケットプレースシステム運用装置からコンピュータウィルス情報を受信するとともに、コンピュータウィルス情報の購入希望者の会員ＩＤと購入希望価格をマーケットプレースシステム運用装置に送信し、マーケットプレースシステム運用装置が、当該コンピュータウィルス情報の登録番号にもとづきコンピュータウィルス情報記憶部に購入希望者の会員ＩＤと購入希望価格を登録し、販売者会員端末が、コンピュータウィルス情報の販売先の販売先会員ＩＤをマーケットプレースシステム運用装置に送信し、マーケットプレースシステム運用装置が、送信されてきた販売先会員ＩＤにもとづいて、対応する購入者の会員情報における保証金残高から、売買価格および仲介手数料を引き、かつ、当該コンピュータウィルス情報の販売者の会員ＩＤにもとづいて、対応する販売者の会員情報における保証金残高に、売買価格を加えて仲介手数料を引く方法としてある。
【００４４】
セキュリティビジネスにおけるマーケットプレース型ビジネス提供方法をこのような方法にすれば、コンピュータウィルス情報の売買を適切に行える環境を提供することができる。
このため、新種のコンピュータウィルスの発生を想定した事前のコンピュータウィルスのパターン研究、ワクチンソフトの開発、およびセキュリティ診断ツールの開発等の一連の対策をスピーディにかつ容易に実現することが可能となる。また、技術力はあるが、知名度、販売力等のない会員に対し、商品の販売先を容易に見つけることのできる環境を提供することが可能となる。
【００４５】
本発明の請求項２０記載のセキュリティビジネスにおけるマーケットプレース型ビジネス提供プログラムは、新種のコンピュータウィルスの発生を想定して、事前にコンピュータウィルスのパターン研究、ワクチンソフトの開発、セキュリティ診断ツールの開発を支援するセキュリティビジネスにおけるマーケットプレース型ビジネス提供プログラムであって、マーケットプレースシステム運用装置に、販売者会員端末から送信されてきた登録番号、販売者の会員ＩＤ、概要、詳細情報、販売希望価格を有するコンピュータウィルス情報を、コンピュータウィルス情報記憶部に記憶させ、購入者会員端末から送信されてきたコンピュータウィルス情報の購入希望者の会員ＩＤと購入希望価格を、当該コンピュータウィルス情報の登録番号にもとづきコンピュータウィルス情報記憶部に記憶させ、販売者会員端末から送信されてきたコンピュータウィルス情報の販売先の販売先会員ＩＤにもとづいて、対応する購入者の会員情報における保証金残高から、売買価格および仲介手数料を引かせ、かつ、当該コンピュータウィルス情報の販売者の会員ＩＤにもとづいて、会員情報記憶部の対応する販売者の会員情報における保証金残高に、売買価格を加えさせて仲介手数料を引かせる構成としてある。
【００４６】
セキュリティビジネスにおけるマーケットプレース型ビジネス提供プログラムをこのような構成にすれば、マーケットプレースシステム運用装置に、販売者の会員端末から送信されてきたコンピュータウィルス情報をコンピュータウィルス情報記憶部に記憶させるとともに、このコンピュータウィルス情報に対する購入希望価格を、購入者の会員端末から受信させて、このコンピュータウィルス情報に付加して記憶させることができる。また、販売者の会員端末から販売先として決定された会員ＩＤが送信されてくると、自動的にその精算処理を実行させることができる。
このため、安価な利用料でかつ短期間にビジネスが実現できる環境を提供することが可能になるとともに、新種のコンピュータウィルスの発生を想定した事前のコンピュータウィルスのパターン研究、ワクチンソフトの開発、およびセキュリティ診断ツールの開発等、一連の対策をスピーディにかつ容易に実現することが可能となる。
【００４７】
【発明の実施の形態】
以下、本発明の実施形態につき、図面を参照して説明する。
まず、本発明の実施形態の構成について、図１〜図２６を参照して説明する。図１は、本実施形態のセキュリティビジネスにおけるマーケットプレース型ビジネス提供システムの構成を示すブロック図である。図２は、同システムにおける申込受付処理フロー図である。図３は、同システムにおける申込受付画面（申込端末）を示す図である。図４は、同システムにおけるマーケットプレースシステム運用装置の構成を示すブロック図である。図５は、同システムにおける保証金入金情報取込処理フロー図である。図６は、同システムにおける基本操作画面（サービス提供者端末）および保証金入金情報取込処理画面（サービス提供者端末）を示す図である。図７は、同システムにおける会員情報登録処理フロー図である。図８は、同システムにおける会員情報登録処理画面（サービス提供者端末）および受付通知画面（サービス提供者端末）を示す図である。図９は、同システムにおける受付通知処理フロー図である。図１０は、同システムにおける会員情報メンテナンス処理フロー図である。図１１は、同システムにおける会員情報メンテナンス処理画面（サービス提供者端末）および売買履歴情報参照画面（サービス提供者端末）を示す図である。図１２は、同システムにおける売買履歴情報参照処理フロー図である。図１３は、同システムにおけるデータメンテナンス（新規登録）処理フロー図である。図１４は、同システムにおける基本操作画面（会員端末）およびＣＶｏｒＣＶＰＩデータメンテナンス／ＴＯＰ画面（会員端末）を示す図である。図１５は、同システムにおけるＣＶｏｒＣＶＰＩデータメンテナンス／メンテナンス画面（会員端末）およびＣＶｏｒＣＶＰＩデータ検索画面（会員端末）を示す図である。図１６は、同システムにおけるデータメンテナンス（修正／削除）処理フロー図である。図１７は、同システムにおける販売先登録処理フロー図である。図１８は、同システムにおけるデータ検索処理フロー図である。図１９は、同システムにおける取引一覧処理フロー図である。図２０は、同システムにおけるＣＶｏｒＣＶＰＩ取引／ＴＯＰ画面（会員端末）およびＣＶｏｒＣＶＰＩ取引／取引一覧（会員端末）を示す図である。図２１は、同システムにおけるＣＶｏｒＣＶＰＩ取引／詳細参照（会員端末）およびＣＶｏｒＣＶＰＩ取引／購入希望（会員端末）を示す図である。図２２は、同システムにおける詳細参照処理フロー図である。図２３は、同システムにおける購入希望（新規登録）処理フロー図である。図２４は、同システムにおける購入希望（修正／削除）処理フロー図である。図２５は、同システムにおける売買履歴データベース登録処理フロー図である。図２６は、同システムにおける販売代金精算処理フロー図である。
【００４８】
［セキュリティビジネスにおけるマーケットプレース型ビジネス提供システム］
本実施形態のセキュリティビジネスにおけるマーケットプレース型ビジネス提供システムは、以下のセキュリティビジネスに関係する会員（企業または個人）に対し、共用環境を利用することで、安価な利用料でかつ短期間にビジネスが実現できる場を提供する会員制サービスを提供するものである。
ａ）コンピュータウィルスの開発、販売を事業として行う会員
ｂ）コンピュータウィルスに対するワクチンソフトの開発、販売を事業として行う会員
ｃ）コンピュータウィルスに対応したセキュリティ診断ツールの開発、販売を事業として行う会員
この会員制サービスは、新種のコンピュータウィルスの発生を想定して、事前にコンピュータウィルスのパターン研究、ワクチンソフトの開発、セキュリティ診断ツールの開発等、一連の対策をスピーディにかつ容易に行えるしくみを会員組織の中で実現するものである。
【００４９】
図１に示すように、本実施形態のセキュリティビジネスにおけるマーケットプレース型ビジネス提供システムは、申込端末１０，会員端末２０，サービス提供者端末３０，マーケットプレースシステム運用装置４０（以下、ＭＰＳ運用装置４０と称する場合がある。），ネットワーク５０を有している。申込端末１０および会員端末２０は、サービス利用者により使用される情報処理装置であり、サービス提供者端末３０およびＭＰＳ運用装置４０は、サービス提供者により使用される情報処理装置である。
【００５０】
［申込端末１０］
申込端末１０は、本会員性サービスの申込者により使用される情報処理装置であり、例えば、パーソナルコンピュータや、携帯電話、ＰＨＳ、ＰＤＡ等とすることができる。
この申込端末１０は、申込受付に必要な申込情報を、マーケットプレースシステム運用装置４０に送信して登録（記憶）させる。申込情報としては、例えば、企業名または個人名，住所，ＴＥＬ（電話番号），電子メールアドレス，パスワード等とすることができる。
図２の（ａ）は、この申込端末１０による申込受付処理フローを示す図である。同図に示すように、申込端末１０が、ＭＰＳ運用装置４０上の図３のような申込受付画面にアクセスし（ステップａ１）、この申込受付画面の入力項目をすべて入力して最後に登録ボタンを押下すると（ステップａ２）、入力された申込情報をＭＰＳ運用装置４０に送信し、ＭＰＳ運用装置４０がこの申込情報と申込日を申込ＤＢ（データベース）４１−１に登録する。この申込日は自動的に申し込んだ日が登録される（ステップａ３）。
【００５１】
［会員端末２０］
会員端末２０は、コンピュータウィルスの開発、販売を事業として行う会員、コンピュータウィルスに対するワクチンソフトの開発、販売を事業として行う会員、コンピュータウィルスパターンに対応したセキュリティ診断ツールの開発、販売を事業として行う会員により使用されるパーソナルコンピュータ等の情報処理装置である。
この会員端末２０は、サービス提供者から発行された会員ＩＤおよびパスワードを用い、ネットワーク５０上を経由してＭＰＳ運用装置４０上のデータメンテナンス、データ検索、取引の三機能にアクセスし利用することができる。
【００５２】
［サービス提供者端末３０］
サービス提供者端末３０は、本会員制サービスを提供する企業によって使用されるパーソナルコンピュータ等の情報処理装置である。
このサービス提供者端末３０は、ネットワーク５０上を経由してＭＰＳ運用装置４０上の保証金情報入金機能，会員情報登録機能，受付通知機能，会員情報メンテナンス機能，売買履歴情報管理機能にアクセスして利用することができる。
【００５３】
［ＭＰＳ運用装置４０］
ＭＰＳ運用装置４０は、ネットワーク５０上で本会員性サービスの運用を可能にするための装置で、ワークステーション、サーバ等の情報処理装置によって構成される。
このＭＰＳ運用装置４０は、図４に示すように、記憶部４１と処理部４２を備え、記憶部４１は、申込ＤＢ４１−１，会員ＤＢ４１−２，ＣＶＤＢ４１−３（コンピュータウィルス情報記憶部：コンピュータウィルスデータベース），ＣＶＰＩＤＢ４１−４（コンピュータウィルス情報記憶部：コンピュータウィルスのパターン情報データベース），売買履歴ＤＢ４１−５を有し、処理部４２は、保証金入金情報取込部４２−１，会員情報登録部４２−２，受付通知部４２−３，会員情報メンテナンス部４２−４，売買履歴情報管理部４２−５，データメンテナンス部４２−６，販売先登録部４２−７，データ検索部４２−８，取引一覧参照部４２−９，詳細参照部４２−１０，購入希望登録部４２−１１，売買履歴登録部４２−１２，販売代金精算部４２−１３を有している。
【００５４】
［申込ＤＢ４１−１］
申込ＤＢ４１−１は、申込情報を記憶するデータベースである。この申込ＤＢ４１−１のデータ構成としては、図１に示すように、（ア）申込日，（イ）会員名（企業名または個人名），（ウ）住所，（エ）ＴＥＬ，（オ）電子メールアドレス，（カ）パスワード，（キ）保証金入金フラグ等とすることができる。
【００５５】
［会員ＤＢ４１−２］
会員ＤＢ４１−２は、会員情報を記憶するデータベースである。この会員ＤＢ４１−２のデータ構成としては、図１に示すように、（ア）登録日または最終更新日，（イ）会員名（企業名または個人名），（ウ）住所，（エ）ＴＥＬ，（オ）電子メールアドレス，（カ）パスワード，（キ）会員ＩＤ，（ク）保証金残高，（ケ）受付通知フラグ等とすることができる。
【００５６】
［ＣＶＤＢ４１−３］
ＣＶＤＢ４１−３は、コンピュータウィルスについての情報を記憶するデータベースである。このＣＶＤＢ４１−３のデータ構成としては、図１に示すように、（ア）登録日または最終更新日，（イ）登録Ｎｏ．，（ウ）会員ＩＤ（販売者），（エ）概要，（オ）詳細情報，（カ）販売希望価格，（キ）会員ＩＤ（購入希望者），（ク）購入希望価格（購入希望者），（ケ）会員ＩＤ（販売先）等とすることができる。なお、購入希望者の会員ＩＤと購入希望価格は、複数登録が可能である。
【００５７】
［ＣＶＰＩＤＢ４１−４］
ＣＶＰＩＤＢ４１−４は、コンピュータウィルスのパターン情報を記憶するデータベースである。このＣＶＰＩＤＢ４１−４のデータ構成としては、図１に示すように、（ア）登録日または最終更新日，（イ）登録Ｎｏ．，（ウ）会員ＩＤ（販売者），（エ）概要，（オ）詳細情報，（カ）販売希望価格，（キ）会員ＩＤ（購入希望者），（ク）購入希望価格（購入希望者），（ケ）会員ＩＤ（販売先）等とすることができる。なお、購入希望者の会員ＩＤと購入希望価格は、複数登録が可能である。
【００５８】
［売買履歴ＤＢ４１−５］
売買履歴ＤＢ４１−５は、売買履歴を記憶するデータベースである。この売買履歴ＤＢ４１−５のデータ構成としては、図１に示すように、（ア）売買日，（イ）会員ＩＤ（販売者），（ウ）会員名（販売者），（エ）会員ＩＤ（購入者），（オ）会員名（購入者），（カ）概要，（キ）売買価格等とすることができる。
【００５９】
［保証金入金情報取込部４２−１］
保証金入金情報取込部４２−１は、申込情報に保証金入金情報を付加して、申込ＤＢ４１−１に格納する。
図５の（ｂ）は、この保証金入金情報取込部４２−１による保証金入金情報取込処理フローを示す図である。同図において、保証金入金情報取込部４２−１は、マーケットプレースシステム運用装置４０側の処理の実行を担当する。
サービス提供者端末３０が、ＭＰＳ運用装置４０上の図６の（ｉ）のようなサービス提供者用基本操作画面にアクセスし（ステップｂ１）、基本操作画面の「保証金入金情報取込」を選択すると（ステップｂ２）、ＭＰＳ運用装置４０は、申込ＤＢ４１−１に登録されているデータを抽出し、一覧として出力する（ステップｂ３）。図６の（ｉｉ）は、このようにしてサービス提供者端末３０上に表示された保証金入金情報取込処理画面である。
サービス提供者端末３０が、この画面の「申込リスト」から保証金入金済みデータをチェックし、登録ボタンを押下すると（ステップｂ４）、ＭＰＳ運用装置４０は、申込ＤＢ４１−１におけるチェックされたデータに対応する申込情報の入金フラグ欄に、入金済みであることを示すフラグである「１」を登録する（ステップｂ５）。
【００６０】
［会員情報登録部４２−２］
会員情報登録部４２−２は、保証金入金情報を取り込んだ申込情報を会員情報として会員ＤＢ４１−２に登録する。
図７の（ｃ）は、この会員情報登録部４２−２による会員情報登録処理フローを示す図である。同図において、会員情報登録部４２−２は、マーケットプレースシステム運用装置４０側の処理の実行を担当する。
サービス提供者端末３０が、ＭＰＳ運用装置４０上の図６の（ｉ）のようなサービス提供者用基本操作画面にアクセスし（ステップｃ１）、この基本操作画面の「会員情報登録」を選択すると（ステップｃ２）、ＭＰＳ運用装置４０は、申込ＤＢ４１−１に登録されているデータの内、入金フラグ欄に「１」が登録されているデータを抽出し、一覧として出力する（ステップｃ３）。図８の（ｉ）は、このようにしてサービス提供者端末３０上に表示された会員情報登録処理画面である。
【００６１】
サービス提供者端末３０が、この画面の「登録対象申込リスト」から会員ＤＢ４１−２に登録を行うデータを選択し、登録ボタンを押下すると（ステップｃ４）、ＭＰＳ運用装置４０は、選択されたデータを申込ＤＢ４１−１から会員ＤＢ４１−２へデータ移行する。
このとき、登録日，会員ＩＤ，保証金残高の各項目も合わせて登録される。登録日には、会員情報登録を行った日が、保証金残高には予め決められた金額が自動的に設定される。申込ＤＢ４１−１から会員ＤＢ４１−２へ移行が完了したデータは、自動的に申込ＤＢ４１−１から削除される（ステップｃ５）。
【００６２】
［受付通知部４２−３］
受付通知部４２−３は、申込者に対して申込が受け付けられたことを電子メールにより通知する。
図９の（ｄ）は、この受付通知部４２−３による受付通知処理フローを示す図である。同図において、会員情報登録部４２−２は、マーケットプレースシステム運用装置４０側の処理の実行を担当する。
サービス提供者端末３０が、ＭＰＳ運用装置４０上の図６の（ｉ）のようなサービス提供者用基本操作画面にアクセスし（ステップｄ１）、この基本操作画面の「受付通知」を選択すると（ステップｄ２）、ＭＰＳ運用装置４０は、会員ＤＢ４１−２に登録されているデータの内、受付通知フラグ欄に「１」が登録されていないデータを抽出し、一覧として出力する（ステップｄ３）。図８の（ｉｉ）は、このようにしてサービス提供者端末３０上に表示された受付通知画面である。
【００６３】
サービス提供者端末３０が、この画面の「受付通知対象申込リスト」から受付通知を行うデータをチェックし登録ボタンを押下すると（ステップｄ４）、ＭＰＳ運用装置４０は、チェックされた申込者宛に会員ＩＤの情報と受付完了を知らせるための通知を電子メールで送信する（ステップｄ５）。また、ＭＰＳ運用装置４０は、会員ＤＢ４１−２におけるチェックされたデータに対応する会員情報の受付通知フラグ欄に「１」を登録する（ステップｄ６）。
【００６４】
［会員情報メンテナンス部４２−４］
会員情報メンテナンス部４２−４は、既に会員ＤＢ４１−２に登録されてある会員情報の修正、削除を行う。
図１０の（ｅ）は、この会員情報メンテナンス部４２−４による会員情報メンテナンス処理フローを示す図である。同図において、会員情報登録部４２−２は、マーケットプレースシステム運用装置４０側の処理の実行を担当する。
サービス提供者端末３０が、ＭＰＳ運用装置４０上の図６の（ｉ）のようなサービス提供者用基本操作画面にアクセスし（ステップｅ１）、この基本操作画面の「会員情報メンテナンス」において、メンテナンス対象である会員情報の会員ＩＤを入力し、この「会員情報メンテナンス」を選択すると（ステップｅ２）、ＭＰＳ運用装置４０は、会員ＤＢ４１−２に登録されているデータから入力された会員ＩＤをもつデータを抽出して出力する（ステップｅ３）。図１１の（ｉ）は、このようにしてサービス提供者端末３０上に表示された会員情報メンテナンス処理画面である。
【００６５】
サービス提供者端末３０は、登録された会員情報を修正する場合は、会員情報メンテナンス処理画面に表示されたデータを修正した後、更新ボタンを押下する。選択した会員情報そのものを削除する場合は、そのまま削除ボタンを押下する（ステップｅ４）。
ＭＰＳ運用装置４０は、修正の場合は、会員ＤＢ４１−２における対象データに対して、修正内容を反映し、自動的に更新日も最終更新日として登録される。削除の場合は、データ自体を会員ＤＢ４１−２から削除する（ステップｅ５）。
【００６６】
［売買履歴情報参照部４２−５］
売買履歴情報参照部４２−５は、会員の売買履歴情報を売買履歴ＤＢ４１−５から抽出して表示する。
図１２の（ｆ）は、この売買履歴情報参照部４２−５による売買履歴情報参照処理フローを示す図である。同図において、会員情報登録部４２−２は、マーケットプレースシステム運用装置４０側の処理の実行を担当する。
サービス提供者端末３０が、ＭＰＳ運用装置４０上の図６の（ｉ）のようなサービス提供者用基本操作画面にアクセスし（ステップｆ１）、この基本操作画面の「売買履歴情報参照機能」において、売買履歴情報を参照したい会員の会員ＩＤを入力し、この「会員情報メンテナンス」を選択する。すべての会員の売買履歴を参照したい場合は、すべての会員を選択する（ステップｆ２）。
【００６７】
ＭＰＳ運用装置４０は、売買履歴ＤＢ４１−５に登録されているデータから指定された会員ＩＤをもつデータ、あるいは指定された条件に合うデータを抽出し一覧として出力する（ステップｆ３）。図１１の（ｉｉ）は、このようにしてサービス提供者端末３０上に表示された売買履歴情報参照画面である。
サービス提供者端末３０は、選択した会員の売買履歴情報を一覧で出力する（ステップｆ４）。
【００６８】
データメンテナンス部４２−６および販売先登録部４２−７は、ＭＰＳ運用装置４０におけるデータメンテナンス機能を実行する処理部である。
［データメンテナンス部４２−６］
データメンテナンス部４２−６は、販売を希望する会員による会員端末２０からの要求に基づいて、販売するコンピュータウィルス（ＣＶ）またはコンピュータウィルスパターン情報（ＣＶＰＩ）を、それぞれＣＶＤＢ４１−３またはＣＶＰＩＤＢ４１−４に対して、登録、修正、又は削除する。なお、修正、削除については修正、削除対象情報の登録者しか行えないように、会員ＩＤにもとづいて機能の使用制限を行うことが好ましい。
【００６９】
図１３の（ｇ）は、このデータメンテナンス部４２−６によるデータメンテナンス（新規登録）処理フローを示す図である。同図において、データメンテナンス部４２−６は、ＭＰＳ運用装置４０側の処理の実行を担当する。
会員端末２０が、ＭＰＳ運用装置４０上の図１４の（ｉ）のような会員用基本操作画面にアクセスし（ステップｇ１）、この基本操作画面から「コンピュータウィルス（ＣＶ）取引」または「コンピュータウィルス（ＣＶＰＩ）取引」における「データメンテナンス」を選択後、会員ＩＤおよびパスワードを入力して送信すると（ステップｇ２）、ＭＰＳ運用装置４０は、会員ＤＢ４１−２に登録されてある会員ＩＤおよびパスワードと内容が一致するかどうかを検索してチェックし、一致すれば図１４の（ｉｉ）のようなＣＶｏｒＣＶＰＩデータメンテナンス／ＴＯＰ画面を会員端末２０に送信する。
【００７０】
会員端末２０が、このＴＯＰ画面において、「新規登録」をチェックし、実行ボタンを押下すると（ステップｇ３）、ＭＰＳ運用装置４０は、図１５の（ｉ）のようなＣＶｏｒＣＶＰＩデータメンテナンス／メンテナンス画面を会員端末２０に出力する。
会員端末２０が、このメンテナンス画面において、ＣＶまたはＣＶＰＩの名称，概要，詳細情報，販売希望価格等を入力して登録ボタンを押下すると（ステップｇ４）、ＭＰＳ運用装置４０は、ＣＶＤＢ４１−３またはＣＶＰＩＤＢ４１−４に、これらの入力データを登録する。このとき、会員ＩＤおよび登録Ｎｏ．も自動的に登録される。会員ＩＤは、ステップｇ２において入力されたものが、登録Ｎｏ．は、自動採番されたものが設定される。
【００７１】
図１６の（ｈ）は、このデータメンテナンス部４２−６によるデータメンテナンス（修正、削除）処理フローを示す図である。同図において、データメンテナンス部４２−６は、ＭＰＳ運用装置４０側の処理の実行を担当する。
会員端末２０が、ＭＰＳ運用装置４０上の図１４の（ｉ）のような会員用基本操作画面にアクセスし（ステップｈ１）、この基本操作画面から「コンピュータウィルス（ＣＶ）取引」または「コンピュータウィルス（ＣＶＰＩ）取引」における「データメンテナンス」を選択後、会員ＩＤおよびパスワードを入力して送信すると（ステップｈ２）、ＭＰＳ運用装置４０は、会員ＤＢ４１−２に登録されてある会員ＩＤおよびパスワードと内容が一致するかどうかを検索してチェックし、一致すれば図１４の（ｉｉ）のようなＣＶｏｒＣＶＰＩデータメンテナンス／ＴＯＰ画面を会員端末２０に出力する。
【００７２】
会員端末２０が、このＴＯＰ画面において、「修正／削除」をチェックし、登録Ｎｏ．を入力して実行ボタンを押下すると（ステップｈ３）、ＭＰＳ運用装置４０は、ＣＶＤＢ４１−３またはＣＶＰＩＤＢ４１−４から指定された登録Ｎｏ．のデータを抽出し、図１５の（ｉ）のようなＣＶｏｒＣＶＰＩデータメンテナンス／メンテナンス画面に出力する（ステップｈ４）。
会員端末２０は、このメンテナンス画面に出力されたデータを修正する場合は、内容修正後、修正ボタンを押下する。削除の場合は、出力されたデータを確認後、削除ボタンを押下する（ステップｈ５）。
これに対して、ＭＰＳ運用装置４０は、修正の場合は、ＣＶＤＢ４１−３またはＣＶＰＩＤＢ４１−４に修正の内容を反映し、自動的に更新日も最終更新日として登録する。削除の場合は、データ自体をＣＶＤＢ４１−３またはＣＶＰＩＤＢ４１−４から削除する（ステップｈ６）。
【００７３】
［販売先登録部４２−７］
販売先登録部４２−７は、販売を希望する会員による会員端末２０からの要求に基づいて、販売するＣＶまたはＣＶＰＩの販売先決定を、ＣＶＤＢ４１−３またはＣＶＰＩＤＢ４１−４に対して、販売先の会員ＩＤを登録することにより行う。
図１７の（ｉ）は、この販売先登録部４２−７による販売先登録処理フローを示す図である。同図において、販売先登録部４２−７は、ＭＰＳ運用装置４０側の処理の実行を担当する。
会員端末２０が、ＭＰＳ運用装置４０上の図１４の（ｉ）のような会員用基本操作画面にアクセスし（ステップｉ１）、この基本操作画面から「コンピュータウィルス（ＣＶ）取引」または「コンピュータウィルス（ＣＶＰＩ）取引」における「データメンテナンス」を選択後、会員ＩＤおよびパスワードを入力して送信すると（ステップｉ２）、ＭＰＳ運用装置４０は、会員ＤＢ４１−２に登録されてある会員ＩＤおよびパスワードと内容が一致するかどうかを検索してチェックし、一致すれば図１４の（ｉｉ）のようなＣＶｏｒＣＶＰＩデータメンテナンス／ＴＯＰ画面を会員端末２０に出力する（ステップｉ３）。
【００７４】
会員端末２０が、このＴＯＰ画面において、「販売先登録」をチェックし、登録Ｎｏ．を入力して実行ボタンを押下すると（ステップｉ４）、ＭＰＳ運用装置４０は、ＣＶＤＢ４１−３またはＣＶＰＩＤＢ４１−４において指定された登録Ｎｏ．のデータを抽出し、このデータを登録した会員の会員ＩＤと、販売先登録を行おうとしている会員の会員ＩＤが同一であることをチェックし、同一であればそのデータを図１５の（ｉ）のようなＣＶｏｒＣＶＰＩデータメンテナンス／メンテナンス画面に出力する（ステップｉ５）。
会員端末２０は、このメンテナンス画面上で、販売する会員の会員ＩＤを「販売先会員ＩＤ」に入力する。販売価格は、既に登録した販売希望価格を必要に応じて修正する。以上の動作の終了後、実行ボタンを押下する（ステップｉ６）。ＭＰＳ運用装置４０は、ＣＶＤＢ４１−３またはＣＶＰＩＤＢ４１−４の対象データに販売先登録日，販売先会員ＩＤの二項目を新規に登録し、販売価格を修正した場合は、修正後の販売価格を販売希望価格欄に登録する。販売先登録日は登録した日が自動的に設定される（ステップｉ７）。
【００７５】
［データ検索部４２−８］
データ検索部４２−８は、ＣＶＤＢ４１−３またはＣＶＰＩＤＢ４１−４におけるＣＶまたはＣＶＰＩの販売情報をさまざまな検索キーにもとづいて検索する。
図１８の（ｊ）は、このデータ検索部４２−８によるデータ検索処理フローを示す図である。同図において、データ検索部４２−８は、ＭＰＳ運用装置４０側の処理の実行を担当する。
【００７６】
会員端末２０が、ＭＰＳ運用装置４０上の図１４の（ｉ）のような会員用基本操作画面にアクセスし（ステップｊ１）、この基本操作画面から「コンピュータウィルス（ＣＶ）取引」または「コンピュータウィルス（ＣＶＰＩ）取引」における「データ検索」を選択後、会員ＩＤおよびパスワードを入力して送信すると（ステップｊ２）、ＭＰＳ運用装置４０は、会員ＤＢ４１−２に登録されてある会員ＩＤおよびパスワードと内容が一致するかどうかを検索してチェックし、一致すれば図１５の（ｉｉ）のようなＣＶｏｒＣＶＰＩデータ検索画面を会員端末２０に出力する。
会員端末２０が、このＣＶｏｒＣＶＰＩデータ検索画面において、検索キーを入力し検索ボタンを押下すると（ステップｊ３）、ＭＰＳ運用装置４０は、ＣＶＤＢ４１−３またはＣＶＰＩＤＢ４１−４から指定された検索キーにあてはまるデータを抽出して画面に出力する（ステップｊ４）。
【００７７】
取引一覧参照部４２−９，詳細参照部４２−１０，購入希望登録部４２−１１は、ＭＰＳ運用装置４０における取引機能を実行する処理部である。
［取引一覧参照部４２−９］
取引一覧参照部４２−９は、ＣＶＤＢ４１−３またはＣＶＰＩＤＢ４１−４からＣＶまたはＣＶＰＩの販売情報を抽出して一覧形式で出力する。
【００７８】
図１９の（ｋ）は、この取引一覧参照部４２−９による取引一覧参照処理フローを示す図である。同図において、取引一覧参照部４２−９は、ＭＰＳ運用装置４０側の処理の実行を担当する。
会員端末２０が、ＭＰＳ運用装置４０上の図１４の（ｉ）のような会員用基本操作画面にアクセスし（ステップｋ１）、この基本操作画面から「コンピュータウィルス（ＣＶ）取引」または「コンピュータウィルス（ＣＶＰＩ）取引」における「取引」を選択後、会員ＩＤおよびパスワードを入力して送信すると（ステップｋ２）、ＭＰＳ運用装置４０は、会員ＤＢ４１−２に登録されてある会員ＩＤおよびパスワードと内容が一致するかどうかを検索してチェックし、一致すれば図２０の（ｉ）のようなＣＶｏｒＣＶＰＩ取引／ＴＯＰ画面を会員端末２０に出力する（ステップｋ３）。
【００７９】
会員端末２０が、このＴＯＰ画面において、「取引一覧」をチェックし、実行ボタンを押下すると（ステップｋ４）、ＭＰＳ運用装置４０は、ＣＶＤＢ４１−３またはＣＶＰＩＤＢ４１−４から登録Ｎｏ．，登録会員，概要，希望価格等のデータを抽出し、図２０の（ｉｉ）のようなＣＶｏｒＣＶＰＩ取引／取引一覧を画面に出力する（ステップｋ５）。
会員端末２０が、このＣＶｏｒＣＶＰＩ取引／取引一覧に表示されているデータの詳細を表示する場合は、同図に示す詳細欄のＧＯボタンを押下する（ステップｋ６）。ＭＰＳ運用装置４０は、指定されたデータの詳細情報をＣＶＤＢ４１−３またはＣＶＰＩＤＢ４１−４から抽出し、図２１の（ｉ）のようなＣＶｏｒＣＶＰＩ取引／詳細参照を画面に出力する（ステップｋ７）。
【００８０】
［詳細参照部４２−１０］
詳細参照部４２−１０は、ＣＶＤＢ４１−３またはＣＶＰＩＤＢ４１−４からＣＶまたはＣＶＰＩの販売情報の詳細を抽出して出力する。
図２２の（ｌ）は、この詳細参照部４２−１０による詳細参照処理フローを示す図である。同図において、詳細参照部４２−１０は、ＭＰＳ運用装置４０側の処理の実行を担当する。
【００８１】
会員端末２０が、ＭＰＳ運用装置４０上の図１４の（ｉ）のような会員用基本操作画面にアクセスし（ステップｌ１）、この基本操作画面から「コンピュータウィルス（ＣＶ）取引」または「コンピュータウィルス（ＣＶＰＩ）取引」における「取引」を選択後、会員ＩＤおよびパスワードを入力して送信すると（ステップｌ２）、ＭＰＳ運用装置４０は、会員ＤＢ４１−２に登録されてある会員ＩＤおよびパスワードと内容が一致するかどうかを検索してチェックし、一致すれば図２０の（ｉ）のようなＣＶｏｒＣＶＰＩ取引／ＴＯＰ画面を会員端末２０に出力する（ステップｌ３）。
会員端末２０が、このＴＯＰ画面において、「詳細参照」をチェックし、参照したいデータの登録Ｎｏ．を入力後、実行ボタンを押下すると（ステップｌ４）、ＭＰＳ運用装置４０は、ＣＶＤＢ４１−３またはＣＶＰＩＤＢ４１−４から指定されたデータの詳細情報を抽出し、図２１の（ｉ）のようなＣＶｏｒＣＶＰＩ取引／詳細参照を画面に出力する（ステップｌ５）。
【００８２】
［購入希望登録部４２−１１］
購入希望登録部４２−１１は、購入を希望する会員による会員端末２０からの要求にもとづいて、ＣＶＤＢ４１−３またはＣＶＰＩＤＢ４１−４におけるＣＶまたはＣＶＰＩの販売情報に購入希望価格を登録、修正、削除する。なお、修正、削除については修正、削除対象情報の登録者しか行えないように、会員ＩＤにもとづいて機能の使用制限を行うことが好ましい。
図２３の（ｍ）は、この購入希望登録部４２−１１による購入希望（新規登録）処理フローを示す図である。同図において、購入希望登録部４２−１１は、ＭＰＳ運用装置４０側の処理の実行を担当する。
【００８３】
会員端末２０が、ＭＰＳ運用装置４０上の図１４の（ｉ）のような会員用基本操作画面にアクセスし（ステップｍ１）、この基本操作画面から「コンピュータウィルス（ＣＶ）取引」または「コンピュータウィルス（ＣＶＰＩ）取引」における「取引」を選択後、会員ＩＤおよびパスワードを入力して送信すると（ステップｍ２）、ＭＰＳ運用装置４０は、会員ＤＢ４１−２に登録されてある会員ＩＤおよびパスワードと内容が一致するかどうかを検索してチェックし、一致すれば図２０の（ｉ）のようなＣＶｏｒＣＶＰＩ取引／ＴＯＰ画面を会員端末２０に出力する（ステップｍ３）。
【００８４】
会員端末２０が、このＴＯＰ画面において、「購入希望登録」をチェックし、希望する登録Ｎｏ．を入力後、実行ボタンを押下すると（ステップｍ４）、ＭＰＳ運用装置４０は、ＣＶＤＢ４１−３またはＣＶＰＩＤＢ４１−４から指定されたデータを抽出し、図２１の（ｉｉ）のようなＣＶｏｒＣＶＰＩ取引／購入希望画面を出力する。同図において、保証金残高については、会員ＩＤにもとづいて、会員ＤＢ４１−２から自動的に抽出してＣＶｏｒＣＶＰＩ取引／購入希望画面に出力する（ステップｍ５）。
【００８５】
会員端末２０は、このＣＶｏｒＣＶＰＩ取引／購入希望画面から購入希望会員の会員ＩＤ，パスワード，希望価格を入力し、実行ボタンを押下する。この場合、希望価格については、保証金残高以下の数値しか入力できないように制限する（ステップｍ６）。ＭＰＳ運用装置４０は、ＣＶＤＢ４１−３またはＣＶＰＩＤＢ４１−４における対象データに、登録日，購入希望会員の会員ＩＤおよび会員名，希望価格などの項目を登録する。その際、登録日は、登録した日を自動的に登録し、会員名は入力した会員ＩＤにもとづいて、会員ＤＢ４１−２から抽出して登録する（ステップｍ７）。
【００８６】
図２４の（ｎ）は、この購入希望登録部４２−１１による購入希望（修正／削除）処理フローを示す図である。同図において、購入希望登録部４２−１１は、ＭＰＳ運用装置４０側の処理の実行を担当する。
会員端末２０が、ＭＰＳ運用装置４０上の図１４の（ｉ）のような会員用基本操作画面にアクセスし（ステップｎ１）、この基本操作画面から「コンピュータウィルス（ＣＶ）取引」または「コンピュータウィルス（ＣＶＰＩ）取引」における「取引」を選択後、会員ＩＤおよびパスワードを入力して送信すると（ステップｎ２）、ＭＰＳ運用装置４０は、会員ＤＢ４１−２に登録されてある会員ＩＤおよびパスワードと内容が一致するかどうかを検索してチェックし、一致すれば図２０の（ｉ）のようなＣＶｏｒＣＶＰＩ取引／ＴＯＰ画面を会員端末２０に出力する（ステップｎ３）。
【００８７】
会員端末２０が、このＴＯＰ画面において、「購入希望修正／削除」をチェックし、希望する登録Ｎｏ．を入力後、実行ボタンを押下すると（ステップｎ４）、ＭＰＳ運用装置４０は、指定されたデータに、購入希望修正／削除を行おうとしている会員による希望価格が登録されているかどうかを、その会員ＩＤおよび購入希望価格にもとづきＣＶＤＢ４１−３またはＣＶＰＩＤＢ４１−４を検索して確認し、登録されている場合には、その情報を抽出して図２１の（ｉｉ）のようなＣＶｏｒＣＶＰＩ取引／購入希望画面に出力する（ステップｎ５）。
【００８８】
会員端末２０は、このＣＶｏｒＣＶＰＩ取引／購入希望画面上で「希望価格」を修正し、修正ボタンを押下する（ステップｎ６）。ＭＰＳ運用装置４０は、ＣＶＤＢ４１−３またはＣＶＰＩＤＢ４１−４における対象データの登録日，購入希望価格の二項目を修正して登録する。登録日は、最終更新日として更新した日が自動的に登録される（ステップｎ７）。
なお、ステップｎ６において、希望価格を入力せずに実行ボタンを押下した場合などに、当該ＣＶまたはＣＶＰＩのデータからその購入者についての購入希望情報（会員ＩＤ，購入希望価格）を削除してＣＶＤＢ４１−３またはＣＶＰＩＤＢ４１−４に登録するようにすることができる。
【００８９】
［売買履歴登録部４２−１２］
売買履歴登録部４２−１２は、ＣＶＤＢ４１−３またはＣＶＰＩＤＢ４１−４において、販売先登録が行われたＣＶまたはＣＶＰＩのデータを自動的に売買履歴ＤＢ４１−５に移行して登録する。
図２５の（ｏ）は、この売買履歴登録部４２−１２による売買履歴データベース登録処理フローを示す図である。
ＭＰＳ運用装置４０の売買履歴登録部４２−１２は、ＣＶＤＢ４１−３またはＣＶＰＩＤＢ４１−４におけるデータに、販売先登録日の項目が登録されると、売買履歴データベース登録処理を起動する（ステップｏ１）。
そして、ＣＶＤＢ４１−３またはＣＶＰＩＤＢ４１−４のデータで販売先登録日が登録されたデータは、売買日（販売先登録日），販売した会員の会員ＩＤ，購入した会員の会員ＩＤ，概要，売買価格（必要に応じて修正してＣＶＤＢ４１−３またはＣＶＰＩＤＢ４１−４の販売希望価格欄に登録された販売価格）の４項目を売買履歴ＤＢ４１−５に自動登録する。同時に、上記の会員ＩＤにもとづいて、会員ＤＢ４１−２から販売した会員の会員名および購入した会員の会員名を自動抽出し、売買履歴ＤＢ４１−５に自動的に追加登録する。また、上記各処理後、対象データを、ＣＶＤＢ４１−３またはＣＶＰＩＤＢ４１−４から自動的に削除する（ステップｏ２）。
【００９０】
［販売代金精算部４２−１３］
販売代金精算部４２−１３は、売買履歴ＤＢ４１−５へのデータ登録と同時に、会員ＤＢ４１−２上で販売代金精算を行う（販売代金自動精算機能）。
また、この販売代金精算処理と同時に、会員制サービス提供企業に対する仲介手数料を精算する（仲介手数料自動精算機能）。
さらに、保証金残高が一定額以下になった場合、その差額を計算し請求書を発行する（不足額請求機能）。
図２６の（ｐ）は、この販売代金精算部４２−１３による販売代金精算処理フローを示す図である。同図において、販売代金精算部４２−１３は、ＭＰＳ運用装置４０側の処理の実行を担当する。
【００９１】
ＭＰＳ運用装置４０は、売買履歴ＤＢ４１−５にデータが登録されると、自動精算処理を起動する（ステップｐ１）。
そして、売買履歴ＤＢ４１−５から売買価格を会員ＤＢ４１−２に引渡し、会員ＤＢ４１−２上の保証金残高に対して、以下の処理を自動的に行う（ステップｐ２）。
販売した会員：保証金残高＋売買代金−仲介手数料
購入した会員：保証金残高−売買代金−仲介手数料
【００９２】
次に、ＭＰＳ運用装置４０は、売買明細の通知を自動的に生成し、販売した会員と購入した会員の電子メールアドレス宛に通知する（ステップｐ３）。会員端末２０は、この電子メールを受信し、販売した会員、購入した会員のいずれもが、この電子メールによって売買内容を確認することができる（ステップｐ４）。
ＭＰＳ運用装置４０は、会員ＤＢ４１−２上で、購入した会員の保証金残高があらかじめ設定された金額を下回った場合、その差額を自動計算して、この会員に対する請求書を発行する。本請求による入金が完了すると、上述の会員情報登録において、サービス提供者が保証金残高の数値を修正する（ステップｐ５）。
【００９３】
［ネットワーク５０］
ネットワーク５０は、従来公知の任意好適な公衆回線、商業回線又は専用回線を用いることができる。また申込端末１０，会員端末２０，サービス提供者端末３０，ＭＰＳ運用装置４０のそれぞれの間においては、同一又は別個の通信回線で構成することができる。
さらに、ネットワーク５０は、申込端末１０，会員端末２０，サービス提供者端末３０，ＭＰＳ運用装置４０のそれぞれの間を、無線あるいは有線で接続可能な回線であり、例えば、公衆回線網、専用回線網、インターネット回線網及びイントラネット網により構成することができる。
【００９４】
次に、本実施形態のセキュリティビジネスにおけるマーケットプレース型ビジネス提供システムにおける主たる処理手順について、図２７および図２８を参照して説明する。
まず、図２７を参照して、会員制サービス申込み時の処理手順について説明する。
同図は、本実施形態のセキュリティビジネスにおけるマーケットプレース型ビジネス提供システムにおける会員制サービス申込み時の処理手順を示す動作手順図である。なお、同図において、点線で表示されている部分は、申込者やサービス提供者などにより人手にて行われる部分であって、本実施形態の説明の都合上付加したものであり、本発明のセキュリティビジネスにおけるマーケットプレース型ビジネス提供システム自体の動作を示すものではない。以下の動作手順図も同様の形式で表示している。
【００９５】
まず、申込者により、申込端末１０は、申込受付（図２の（ａ）申込受付の処理フロー参照）を行う（ステップ１０）。
ＭＰＳ運用装置４０は、申込受付で入力された情報（企業名または個人名，住所，ＴＥＬ，電子メールアドレス，パスワード等）を申込ＤＢ４１−１に登録する（ステップ１１）。
【００９６】
サービス提供者端末は、この申込ＤＢ４１−１に登録された申込情報を受信して表示することができる（ステップ１２）。サービス提供者は、この申込情報を参照し、申込者に対して保証金の請求を行う（ステップ１３）。
また、サービス提供者により、サービス提供者端末３０は、保証金の入金確認後、入金フラグの登録（図５の（ｂ）保証金入金情報取込処理フロー参照）を行う。ＭＰＳ運用装置４０は、登録内容を申込ＤＢ４１−１に更新する（ステップ１４）。
【００９７】
さらに、サービス提供者により、サービス提供者端末３０は、申込ＤＢ４１−１の入金フラグ登録がされたデータに対して、会員ＤＢ４１−２への移行と登録（図７の（ｃ）会員情報登録処理フロー参照）を行う。ＭＰＳ運用装置４０は、移行および登録内容を申込ＤＢ４１−１および会員ＤＢ４１−２に更新する（ステップ１５）。
そして、サービス提供者により、サービス提供者端末３０は、会員登録の受付処理（図９の（ｄ）受付通知処理フロー参照）を行う。ＭＰＳ運用装置４０は、申込者の申込端末１０へ会員ＩＤと申込受付完了の通知を電子メールで送信する（ステップ１６）とともに、会員ＤＢ４１−２における対象データの受付通知フラグ欄に、受付通知を行ったことを識別するためのフラグを設定する（ステップ１７）。
【００９８】
次に、本実施形態のセキュリティビジネスにおけるマーケットプレース型ビジネス提供システムにおけるＣＶまたはＣＶＰＩの取引についての処理手順について、図２８を参照して説明する。
同図は、本実施形態のセキュリティビジネスにおけるマーケットプレース型ビジネス提供システムにおけるＣＶまたはＣＶＰＩの取引についての処理手順を示す動作手順図である。
【００９９】
まず、販売希望をもつ会員により、会員端末２０は、会員ＩＤおよびパスワードを用いて、ＭＰＳ運用装置４０のデータメンテナンス（新規登録）機能にアクセスする（ステップ３０）。
そして、会員端末２０は、販売を希望するＣＶまたはＣＶＰＩの情報の登録（図１３の（ｇ）データメンテナンス（新規登録）処理フロー参照）を行う。ＭＰＳ運用装置４０は、このＣＶまたはＣＶＰＩの情報を、それぞれＣＶＤＢ４１−３またはＣＶＰＩＤＢ４１−４に登録する（ステップ３１）。
【０１００】
次に、購入希望を持つ会員により、会員端末２０は、会員ＩＤおよびパスワードを用いて、ＭＰＳ運用装置４０のデータ検索機能、取引一覧機能、詳細参照機能にアクセスし、販売対象のデータについて情報収集（図１８の（ｊ）データ検索処理フロー，図１９の（ｋ）取引一覧処理フロー，図２２の（ｌ）詳細参照処理フローを参照）を行う（ステップ３２）。
そして、購入希望を持つ会員により、会員端末２０は、購入希望のＣＶまたはＣＶＰＩに対し、ＭＰＳ運用装置４０の購入希望（新規登録）機能を利用して、購入希望価格の登録（図２３の（ｍ）購入希望（新規登録）処理フロー参照）を行う（ステップ３３）。
この登録した購入希望価格は、登録した会員であれば登録後に何度でも変更（図２４の（ｎ）購入希望（修正／削除）処理フロー参照）を行うことができる（ステップ３４）。
【０１０１】
次に、販売希望を持つ会員により、会員端末２０は、会員ＩＤおよびパスワードを用いて、取引一覧機能、詳細参照機能にアクセスし、購入希望の状況について情報収集（図１９の（ｋ）取引一覧処理フロー，図２２の（ｌ）詳細参照処理フローを参照）を行う（ステップ３５）。
さらに、販売希望を持つ会員は、販売したい購入希望を持つ会員と電子メール等を利用して契約内容を詰める（ステップ３６）。
そして、販売希望を持つ会員により、会員端末２０は、販売先決定後、会員ＩＤおよびパスワードを用いて、データメンテナンス機能にアクセスし、販売先の登録（図１７の（ｉ）販売先登録処理フロー参照）を行う。ＭＰＳ運用装置４０は、会員端末２０から送信されてきた販売先会員ＩＤ等の情報を、ＣＶＤＢ４１−３またはＣＶＰＩＤＢ４１−４に記憶する（ステップ３７）。
さらに、ＭＰＳ運用装置４０は、上記処理を行うと売買履歴ＤＢ４１−５における売買履歴情報を更新する（ステップ３８）。
【０１０２】
また、ＭＰＳ運用装置４０は、上記処理と同時に、売買に関わった会員について、会員ＤＢ４１−２におけるそれぞれの保証金残高データ上で、売買金額および仲介手数料の精算を自動的に実行する（ステップ３９）。
さらに、ＭＰＳ運用装置４０は、売買取引により会員の保証金残高が一定金額以下になった場合、不足額が自動的に計算して請求書を発行する（ステップ４０）。
【０１０３】
次に、サービス提供者の運用時に行う処理手順について説明する。
会員から登録した会員情報に対する変更依頼があった場合または保証金残高の不足額請求による入金があった場合は、サービス提供者端末からの要求にもとづいて、ＭＰＳ運用装置４０は、会員情報の変更、削除機能（図１０の（ｅ）会員情報メンテナンス処理フロー参照）を利用して会員ＤＢ４１−２の更新を行う。また、サービス提供者は、売買履歴情報の参照を行い定期的に各会員の取引状況の確認を行う。このとき、サービス提供者端末３０は、ＭＰＳ運用装置４０の売買履歴ＤＢ４１−５から各会員の売買履歴情報を抽出して表示（図１２の（ｆ）売買履歴情報参照フロー参照）を行う。
【０１０４】
上記の実施形態における申込受付や、保証金入金情報取込等は、セキュリティビジネスにおけるマーケットプレース型ビジネス提供プログラムにより実行される。
このセキュリティビジネスにおけるマーケットプレース型ビジネス提供プログラムは、コンピュータの各構成要素に指令を送り、所定の処理、例えば、申込受付処理や、保証金入金情報取込処理等を行わせる。
これによって、これらの処理は、セキュリティビジネスにおけるマーケットプレース型ビジネス提供プログラムとコンピュータとが協働したＭＰＳ運用装置４０などにより実現される。
【０１０５】
なお、セキュリティビジネスにおけるマーケットプレース型ビジネス提供プログラムは、コンピュータのＲＯＭやハードディスクに記憶させる他、コンピュータ読み取り可能な記録媒体、たとえば、外部記憶装置及び可搬記録媒体等に格納することができる。
外部記憶装置とは、磁気ディスク等の記録媒体を内蔵し、例えばセキュリティビジネスにおけるマーケットプレース型ビジネス提供端末などに外部接続される記憶増設装置をいう。一方、可搬記録媒体とは、記録媒体駆動装置（ドライブ装置）に装着でき、かつ、持ち運び可能な記録媒体であって、たとえば、ＣＤ−ＲＯＭ、フレキシブルディスク、メモリカード、光磁気ディスク等をいう。
【０１０６】
そして、記録媒体に記録されたプログラムは、コンピュータのＲＡＭにロードされて、ＣＰＵにより実行される。この実行により、上述した本実施形態のＭＰＳ運用装置４０の機能が実現される。
さらに、コンピュータでセキュリティビジネスにおけるマーケットプレース型ビジネス提供プログラムをロードする場合、他のコンピュータで保有されたセキュリティビジネスにおけるマーケットプレース型ビジネス提供プログラムを、通信回線を利用して自己の有するＲＡＭや外部記憶装置にダウンロードすることもできる。
このダウンロードされたセキュリティビジネスにおけるマーケットプレース型ビジネス提供プログラムも、ＣＰＵにより実行され、本実施形態の申込受付処理や、保証金入金情報取込処理等を実現する。
【０１０７】
なお、本発明は以上の実施形態に限定されるものではなく、本発明の範囲内において、種々の変更実施が可能であることは言うまでもない。
例えば、ＣＶＤＢ４１−３，ＣＶＰＩＤＢ４１−４において、会員ＩＤ（販売先）を複数登録可能とし、ＣＶまたはＣＶＰＩを複数の者に対して販売できるようにすることができる。
また、本実施形態では、コンピュータウィルスやコンピュータウィルスのパターン情報本体については、ＣＶＤＢ４１−３またはＣＶＰＩＤＢ４１−４に保有せず、これらは本システムとは別途引渡しが行われるものとしているが、コンピュータウィルスやコンピュータウィルスのパターン情報本体をそれぞれＣＶＤＢ４１−３、ＣＶＰＩＤＢ４１−４に記憶させ、会員端末からの販売先登録があったときに、販売対象であるこれら本体の情報について、ＣＶＤＢ４１−３またはＣＶＰＩＤＢ４１−４から抽出して、購入者の会員端末に送信するようにすることも可能である。
さらに、ＭＰＳ運用装置４０における各構成要素をより詳細な機能ごとに分割したり、あるいは併合したり、一の構成要素の機能の一部を他の構成要素の機能に併合するなど適宜変更することが可能である。
【０１０８】
【発明の効果】
以上のように、本発明によれば、セキュリティビジネスに関係する会員に対し、共用環境を利用することで、安価な利用料でかつ短期間にビジネスが実現できる場を提供することができる。
すなわち、セキュリティビジネスに関係する企業または個人を組織化し、相互のビジネスが容易に行える会員性サービスを提供することで、企業、個人が積極的にセキュリティビジネスに参入できる環境を作ることが可能となる。
また、これによって、技術力はあるが、知名度、販売力等のない会員が商品の販売先を容易に見つけることも可能となる。
【０１０９】
さらに、これまでビジネスとして手がけづらかったコンピュータウィルスの開発というものをビジネスとして遂行できる場を会員に対して提供することが可能となる。
また、新種のコンピュータウィルスの発生を想定して、事前にコンピュータウィルスのパターン研究、ワクチンソフトの開発、セキュリティ診断ツールの開発等、一連の対策をスピーディにかつ容易に行えるしくみを実現することが可能となる。
【０１１０】
加えて、本発明によれば、会員が売買を実施した場合、売買代金のやり取りは、それぞれ預けた保証金に対してシステムが自動的に精算を行うため、会員は請求、振込等の手続をその都度行う必要がなく、また、この会員性サービスを提供する企業は、売買確定時にあらかじめ決められた料率の仲介手数料を会員の保証金からその都度徴収するため、個々の取引に対して会員に仲介手数料を請求する必要がない。
以上の効果から、本発明によって、セキュリティビジネスそのもののマーケット拡大に貢献できる可能性が高い。
【０１１１】
また、セキュリティビジネスにおけるマーケットプレース型ビジネス提供プログラムは、コンピュータの各構成要素へ所定の指令を送ることにより、この申込受付機能や、保証金入金情報取込機能等を実現させることができる。
これによって、これらの機能等は、セキュリティビジネスにおけるマーケットプレース型ビジネス提供プログラムとコンピュータとが協働したセキュリティビジネスにおけるＭＰＳ運用装置により実現可能である。
【図面の簡単な説明】
【図１】本発明の実施形態のセキュリティビジネスにおけるマーケットプレース型ビジネス提供システムの構成を示すブロック図である。
【図２】本発明の実施形態のセキュリティビジネスにおけるマーケットプレース型ビジネス提供システムにおける申込受付処理フロー図である。
【図３】本発明の実施形態のセキュリティビジネスにおけるマーケットプレース型ビジネス提供システムにおける申込受付画面（申込端末）を示す図である。
【図４】本発明の実施形態のセキュリティビジネスにおけるマーケットプレース型ビジネス提供システムにおけるマーケットプレースシステム運用装置の構成を示すブロック図である。
【図５】本発明の実施形態のセキュリティビジネスにおけるマーケットプレース型ビジネス提供システムにおける保証金入金情報取込処理フロー図である。
【図６】本発明の実施形態のセキュリティビジネスにおけるマーケットプレース型ビジネス提供システムにおける基本操作画面（サービス提供者端末）および保証金入金情報取込処理画面（サービス提供者端末）を示す図である。
【図７】本発明の実施形態のセキュリティビジネスにおけるマーケットプレース型ビジネス提供システムにおける会員情報登録処理フロー図である。
【図８】本発明の実施形態のセキュリティビジネスにおけるマーケットプレース型ビジネス提供システムにおける会員情報登録処理画面（サービス提供者端末）および受付通知画面（サービス提供者端末）を示す図である。
【図９】本発明の実施形態のセキュリティビジネスにおけるマーケットプレース型ビジネス提供システムにおける受付通知処理フロー図である。
【図１０】本発明の実施形態のセキュリティビジネスにおけるマーケットプレース型ビジネス提供システムにおける会員情報メンテナンス処理フロー図である。
【図１１】本発明の実施形態のセキュリティビジネスにおけるマーケットプレース型ビジネス提供システムにおける会員情報メンテナンス処理画面（サービス提供者端末）および売買履歴情報参照画面（サービス提供者端末）を示す図である。
【図１２】本発明の実施形態のセキュリティビジネスにおけるマーケットプレース型ビジネス提供システムにおける売買履歴情報参照処理フロー図である。
【図１３】本発明の実施形態のセキュリティビジネスにおけるマーケットプレース型ビジネス提供システムにおけるデータメンテナンス（新規登録）処理フロー図である。
【図１４】本発明の実施形態のセキュリティビジネスにおけるマーケットプレース型ビジネス提供システムにおける基本操作画面（会員端末）およびＣＶｏｒＣＶＰＩデータメンテナンス／ＴＯＰ画面（会員端末）を示す図である。
【図１５】本発明の実施形態のセキュリティビジネスにおけるマーケットプレース型ビジネス提供システムにおけるＣＶｏｒＣＶＰＩデータメンテナンス／メンテナンス画面（会員端末）およびＣＶｏｒＣＶＰＩデータ検索画面（会員端末）を示す図である。
【図１６】本発明の実施形態のセキュリティビジネスにおけるマーケットプレース型ビジネス提供システムにおけるデータメンテナンス（修正／削除）処理フロー図である。
【図１７】本発明の実施形態のセキュリティビジネスにおけるマーケットプレース型ビジネス提供システムにおける販売先登録処理フロー図である。
【図１８】本発明の実施形態のセキュリティビジネスにおけるマーケットプレース型ビジネス提供システムにおけるデータ検索処理フロー図である。
【図１９】本発明の実施形態のセキュリティビジネスにおけるマーケットプレース型ビジネス提供システムにおける取引一覧処理フロー図である。
【図２０】本発明の実施形態のセキュリティビジネスにおけるマーケットプレース型ビジネス提供システムにおけるＣＶｏｒＣＶＰＩ取引／ＴＯＰ画面（会員端末）およびＣＶｏｒＣＶＰＩ取引／取引一覧（会員端末）を示す図である。
【図２１】本発明の実施形態のセキュリティビジネスにおけるマーケットプレース型ビジネス提供システムにおけるＣＶｏｒＣＶＰＩ取引／詳細参照（会員端末）およびＣＶｏｒＣＶＰＩ取引／購入希望（会員端末）を示す図である。
【図２２】本発明の実施形態のセキュリティビジネスにおけるマーケットプレース型ビジネス提供システムにおける詳細参照処理フロー図である。
【図２３】本発明の実施形態のセキュリティビジネスにおけるマーケットプレース型ビジネス提供システムにおける購入希望（新規登録）処理フロー図である。
【図２４】本発明の実施形態のセキュリティビジネスにおけるマーケットプレース型ビジネス提供システムにおける購入希望（修正／削除）処理フロー図である。
【図２５】本発明の実施形態のセキュリティビジネスにおけるマーケットプレース型ビジネス提供システムにおける売買履歴データベース登録処理フロー図である。
【図２６】本発明の実施形態のセキュリティビジネスにおけるマーケットプレース型ビジネス提供システムにおける販売代金精算処理フロー図である。
【図２７】本発明の実施形態のセキュリティビジネスにおけるマーケットプレース型ビジネス提供システムにおける会員制サービス申込み時の処理手順を示す動作手順図である。
【図２８】本発明の実施形態のセキュリティビジネスにおけるマーケットプレース型ビジネス提供システムにおけるＣＶまたはＣＶＰＩの取引についての処理手順を示す動作手順図である。
【符号の説明】
１０  申込端末
２０  会員端末
３０  サービス提供者端末
４０  マーケットプレースシステム（ＭＰＳ）運用装置
４１  記憶部
４１−１  申込ＤＢ
４１−２  会員ＤＢ
４１−３  ＣＶＤＢ
４１−４  ＣＶＰＩＤＢ
４１−５  売買履歴ＤＢ
４２  処理部
４２−１  保証金入金情報取込部
４２−２  会員情報登録部
４２−３  受付通知部
４２−４  会員情報メンテナンス部
４２−５  売買履歴情報参照部
４２−６  データメンテナンス部
４２−７  販売先登録部
４２−８  データ検索
４２−９  取引一覧参照部
４２−１０  詳細参照部
４２−１１  購入希望登録部
４２−１２  売買履歴登録部
４２−１３  販売代金精算部
５０  ネットワーク
【図１】
2004287867.tif 000003
【図２】
2004287867.tif 000004
【図３】
2004287867.tif 000005
【図４】
2004287867.tif 000006
【図５】
2004287867.tif 000007
【図６】
2004287867.tif 000008
【図７】
2004287867.tif 000009
【図８】
2004287867.tif 000010
【図９】
2004287867.tif 000011
【図１０】
2004287867.tif 000012
【図１１】
2004287867.tif 000013
【図１２】
2004287867.tif 000014
【図１３】
2004287867.tif 000015
【図１４】
2004287867.tif 000016
【図１５】
2004287867.tif 000017
【図１６】
2004287867.tif 000018
【図１７】
2004287867.tif 000019
【図１８】
2004287867.tif 000020
【図１９】
2004287867.tif 000021
【図２０】
2004287867.tif 000022
【図２１】
2004287867.tif 000023
【図２２】
2004287867.tif 000024
【図２３】
2004287867.tif 000025
【図２４】
2004287867.tif 000026
【図２５】
2004287867.tif 000027
【図２６】
2004287867.tif 000028
【図２７】
2004287867.tif 000029
【図２８】
2004287867.tif 000030